(57)【要約】  本願の実施例は、システム情報の取得方法、端末デバイス及びネットワークデバイスを開示し、該方法は、端末デバイスがネットワークデバイスに第１のランダムアクセスプリアンブルを送信することと、前記端末デバイスが前記ネットワークデバイスにより送信されたメディアアクセス制御ＭＡＣプロトコルデータユニットＰＤＵを受信することと、前記端末デバイスが少なくとも１つのＲＡＲに基づいて、前記ネットワークデバイスが送信するシステム情報を決定することとを含み、前記ＭＡＣ ＰＤＵが少なくとも１つのランダムアクセス応答ＲＡＲを含む。
2021520678.tif 000002
【特許請求の範囲】
【請求項１】
端末デバイスがネットワークデバイスに第１のランダムアクセスプリアンブルを送信することと、
前記端末デバイスが前記ネットワークデバイスにより送信されたメディアアクセス制御ＭＡＣプロトコルデータユニットＰＤＵを受信することと、
前記端末デバイスが少なくとも１つのＲＡＲに基づいて、前記ネットワークデバイスが送信するシステム情報を決定することとを含み、
前記ＭＡＣ ＰＤＵが少なくとも１つのランダムアクセス応答ＲＡＲを含む
ことを特徴とするシステム情報の取得方法。
【請求項２】
前記方法は、さらに、
前記端末デバイスが特定のランダムアクセス無線ネットワーク一時識別子ＲＡ―ＲＮＴＩに基づいて、前記ＭＡＣ ＰＤＵを復号することを含む
ことを特徴とする請求項１に記載のシステム情報の取得方法。
【請求項３】
前記特定のＲＡ―ＲＮＴＩは、前記ネットワークデバイスにより構成された予約ＲＡ―ＲＮＴＩである
ことを特徴とする請求項２に記載のシステム情報の取得方法。
【請求項４】
前記特定のＲＡ―ＲＮＴＩは、前記ネットワークデバイスによりシステム情報又は無線リソース制御ＲＲＣシグナリングを介して構成されたものである
ことを特徴とする請求項２又は３に記載のシステム情報の取得方法。
【請求項５】
前記少なくとも１つのＲＡＲが指示情報を含み、前記指示情報が、前記ネットワークデバイスが送信するシステム情報を指示する
ことを特徴とする請求項１〜４のいずれか１項に記載のシステム情報の取得方法。
【請求項６】
前記端末デバイスが少なくとも１つのＲＡＲに基づいて、前記ネットワークデバイスが送信するシステム情報を決定することは、
前記端末デバイスが前記少なくとも１つのＲＡＲに含まれる前記指示情報に基づいて、前記ネットワークデバイスが送信するシステム情報を決定することを含む
ことを特徴とする請求項５に記載のシステム情報の取得方法。
【請求項７】
前記指示情報が少なくとも１つのランダムアクセスプリアンブル識別子ＲＡＰＩＤであり、前記少なくとも１つのＲＡＰＩＤの各ＲＡＰＩＤが少なくとも１つのシステム情報を示す
ことを特徴とする請求項５又は６に記載のシステム情報の取得方法。
【請求項８】
前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記各ＲＡＰＩＤが前記各ＲＡＲに対応するＭＡＣサブＰＤＵのサブパケットヘッダに搬送され、前記ＭＡＣサブＰＤＵがデータ部分を含まない
ことを特徴とする請求項７に記載のシステム情報の取得方法。
【請求項９】
前記指示情報は、ネットワークデバイスが送信するシステム情報をビットマップで指示する
ことを特徴とする請求項５又は６に記載のシステム情報の取得方法。
【請求項１０】
前記指示情報は、前記ＭＡＣサブＰＤＵのデータ部分に搬送される
ことを特徴とする請求項９に記載のシステム情報の取得方法。
【請求項１１】
前記ＭＡＣサブＰＤＵのサブパケットヘッダには、前記少なくとも１つのＲＡＲに対応するランダムアクセスプリアンブルを示すＲＡＰＩＤがさらに含まれる
ことを特徴とする請求項１０に記載のシステム情報の取得方法。
【請求項１２】
前記端末デバイスがネットワークデバイスに第１のランダムアクセスプリアンブルを送信することは、
前記端末デバイスが特定の周期で前記ネットワークデバイスに前記第１のランダムアクセスプリアンブルを送信することを含む
ことを特徴とする請求項１〜１１のいずれか１項に記載のシステム情報の取得方法。
【請求項１３】
前記特定の周期は、前記ネットワークデバイスにより構成され、又は、システム情報の更新周期により決定されたものである
ことを特徴とする請求項１２に記載のシステム情報の取得方法。
【請求項１４】
前記第１のランダムアクセスプリアンブルは、前記端末デバイスが要求して取得するシステム情報を示す
ことを特徴とする請求項１〜１３のいずれか１項に記載のシステム情報の取得方法。
【請求項１５】
ネットワークデバイスが第１の端末デバイスにより送信された第１のランダムアクセスプリアンブルを受信することと、
前記ネットワークデバイスがメディアアクセス制御ＭＡＣプロトコルデータユニットＰＤＵを返信することとを含み、
前記第１のランダムアクセスプリアンブルが、システム情報を取得するように要求し、前記ＭＡＣ ＰＤＵが少なくとも１つのランダムアクセス応答ＲＡＲを含み、前記少なくとも１つのＲＡＲは、前記ネットワークデバイスが送信するシステム情報を決定するために用いられる
ことを特徴とするシステム情報の取得方法。
【請求項１６】
前記少なくとも１つのＲＡＲが指示情報を含み、前記指示情報が、前記ネットワークデバイスが送信するシステム情報を指示する
ことを特徴とする請求項１５に記載のシステム情報の取得方法。
【請求項１７】
前記指示情報が少なくとも１つのＲＡＰＩＤであり、前記少なくとも１つのＲＡＰＩＤの各ＲＡＰＩＤが少なくとも１つのシステム情報を示す
ことを特徴とする請求項１６に記載のシステム情報の取得方法。
【請求項１８】
前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記各ＲＡＰＩＤが前記各ＲＡＲに対応するＭＡＣサブＰＤＵのサブパケットヘッダに搬送され、前記ＭＡＣサブＰＤＵがデータ部分を含まない
ことを特徴とする請求項１７に記載のシステム情報の取得方法。
【請求項１９】
前記指示情報は、ネットワークデバイスが送信するシステム情報をビットマップで指示する
ことを特徴とする請求項１６に記載のシステム情報の取得方法。
【請求項２０】
前記指示情報は、前記ＭＡＣサブＰＤＵのデータ部分に搬送される
ことを特徴とする請求項１９に記載のシステム情報の取得方法。
【請求項２１】
前記ＭＡＣサブＰＤＵのサブパケットヘッダには、前記少なくとも１つのＲＡＲに対応するランダムアクセスプリアンブルを示すＲＡＰＩＤがさらに含まれる
ことを特徴とする請求項２０に記載のシステム情報の取得方法。
【請求項２２】
前記方法は、さらに、
前記ネットワークデバイスが特定のランダムアクセス無線ネットワーク一時識別子ＲＡ―ＲＮＴＩに基づいて、前記ＭＡＣ ＰＤＵを符号化することを含む
ことを特徴とする請求項１５〜２１のいずれか１項に記載のシステム情報の取得方法。
【請求項２３】
前記ネットワークデバイスが第１の端末デバイスにより送信された第１のランダムアクセスプリアンブルを受信することは、
前記ネットワークデバイスが、前記第１の端末デバイスが特定の周期で送信する第１のランダムアクセスプリアンブルを受信することを含む
ことを特徴とする請求項１５〜２２のいずれか１項に記載のシステム情報の取得方法。
【請求項２４】
前記方法は、さらに、
前記ネットワークデバイスが、第２の端末デバイスが前記特定の周期で送信する第２のランダムアクセスプリアンブルを受信することを含み、前記第２のランダムアクセスプリアンブルが、システム情報を取得するように要求し、前記少なくとも１つのＲＡＲが、前記ネットワークデバイスが前記第２の端末デバイスに送信する前記第２のランダムアクセスプリアンブルの応答を含む
ことを特徴とする請求項２３に記載のシステム情報の取得方法。
【請求項２５】
前記特定の周期は、前記ネットワークデバイスにより構成され、又は、システム情報の更新周期により決定されたものである
ことを特徴とする請求項２３又は２４に記載のシステム情報の取得方法。
【請求項２６】
通信モジュールと、決定モジュールと、を備える端末デバイスであって、
前記通信モジュールは、ネットワークデバイスに第１のランダムアクセスプリアンブルを送信し、前記ネットワークデバイスにより送信されたメディアアクセス制御ＭＡＣプロトコルデータユニットＰＤＵを受信するように構成され、前記ＭＡＣ ＰＤＵが少なくとも１つのランダムアクセス応答ＲＡＲを含み、
前記決定モジュールは、前記少なくとも１つのＲＡＲに基づいて、前記ネットワークデバイスが送信するシステム情報を決定するように構成される
ことを特徴とする端末デバイス。
【請求項２７】
前記端末デバイスは、さらに、復号モジュールを含み、
前記復号モジュールは、特定のランダムアクセス無線ネットワーク一時識別子ＲＡ―ＲＮＴＩに基づいて、前記ＭＡＣ ＰＤＵを復号するように構成される
ことを特徴とする請求項２６に記載の端末デバイス。
【請求項２８】
前記特定のＲＡ―ＲＮＴＩは、前記ネットワークデバイスにより構成された予約ＲＡ―ＲＮＴＩである
ことを特徴とする請求項２７に記載の端末デバイス。
【請求項２９】
前記特定のＲＡ―ＲＮＴＩは、前記ネットワークデバイスによりシステム情報又は無線リソース制御ＲＲＣシグナリングを介して構成されたものである
ことを特徴とする請求項２７又は２８に記載の端末デバイス。
【請求項３０】
前記少なくとも１つのＲＡＲが指示情報を含み、前記指示情報が、前記ネットワークデバイスが送信するシステム情報を指示する
ことを特徴とする請求項２６〜２９のいずれか１項に記載の端末デバイス。
【請求項３１】
前記決定モジュールは、さらに、
前記少なくとも１つのＲＡＲに含まれる前記指示情報に基づいて、前記ネットワークデバイスが送信するシステム情報を決定するように構成される
ことを特徴とする請求項３０に記載の端末デバイス。
【請求項３２】
前記指示情報が少なくとも１つのランダムアクセスプリアンブル識別子ＲＡＰＩＤであり、前記少なくとも１つのＲＡＰＩＤの各ＲＡＰＩＤが少なくとも１つのシステム情報を示す
ことを特徴とする請求項３０又は３１に記載の端末デバイス。
【請求項３３】
前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記各ＲＡＰＩＤが前記各ＲＡＲに対応するＭＡＣサブＰＤＵのサブパケットヘッダに搬送され、前記ＭＡＣサブＰＤＵがデータ部分を含まない
ことを特徴とする請求項３２に記載の端末デバイス。
【請求項３４】
前記指示情報は、ネットワークデバイスが送信するシステム情報をビットマップで指示する
ことを特徴とする請求項３０又は３１に記載の端末デバイス。
【請求項３５】
前記指示情報は、前記ＭＡＣサブＰＤＵのデータ部分に搬送される
ことを特徴とする請求項３４に記載の端末デバイス。
【請求項３６】
前記ＭＡＣサブＰＤＵのサブパケットヘッダには、前記少なくとも１つのＲＡＲに対応するランダムアクセスプリアンブルを示すＲＡＰＩＤがさらに含まれる
ことを特徴とする請求項３５に記載の端末デバイス。
【請求項３７】
前記通信モジュールは、さらに、
特定の周期で前記ネットワークデバイスに前記第１のランダムアクセスプリアンブルを送信するように構成される
ことを特徴とする請求項２６〜３６のいずれか１項に記載の端末デバイス。
【請求項３８】
前記特定の周期は、前記ネットワークデバイスにより構成され、又は、システム情報の更新周期により決定されたものである
ことを特徴とする請求項３７に記載の端末デバイス。
【請求項３９】
前記第１のランダムアクセスプリアンブルは、前記端末デバイスが要求して取得するシステム情報を示す
ことを特徴とする請求項２６〜３８のいずれか１項に記載の端末デバイス。
【請求項４０】
通信モジュールを備えるネットワークデバイスであって、
前記通信モジュールは、第１の端末デバイスにより送信された第１のランダムアクセスプリアンブルを受信し、
メディアアクセス制御ＭＡＣプロトコルデータユニットＰＤＵを返信するように構成され、
前記第１のランダムアクセスプリアンブルが、システム情報を取得するように要求し、
前記ＭＡＣ ＰＤＵが少なくとも１つのランダムアクセス応答ＲＡＲを含み、前記少なくとも１つのＲＡＲは、前記ネットワークデバイスが送信するシステム情報を決定するために用いられる
ことを特徴とするネットワークデバイス。
【請求項４１】
前記少なくとも１つのＲＡＲが指示情報を含み、前記指示情報が、前記ネットワークデバイスが送信するシステム情報を指示する
ことを特徴とする請求項４０に記載のネットワークデバイス。
【請求項４２】
前記指示情報が少なくとも１つのＲＡＰＩＤであり、前記少なくとも１つのＲＡＰＩＤの各ＲＡＰＩＤが少なくとも１つのシステム情報を示す
ことを特徴とする請求項４１に記載のネットワークデバイス。
【請求項４３】
前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記各ＲＡＰＩＤが前記各ＲＡＲに対応するＭＡＣサブＰＤＵのサブパケットヘッダに搬送され、前記ＭＡＣサブＰＤＵがデータ部分を含まない
ことを特徴とする請求項４２に記載のネットワークデバイス。
【請求項４４】
前記指示情報は、ネットワークデバイスが送信するシステム情報をビットマップで指示する
ことを特徴とする請求項４１に記載のネットワークデバイス。
【請求項４５】
前記指示情報は、前記ＭＡＣサブＰＤＵのデータ部分に搬送される
ことを特徴とする請求項４４に記載のネットワークデバイス。
【請求項４６】
前記ＭＡＣサブＰＤＵのサブパケットヘッダには、前記少なくとも１つのＲＡＲに対応するランダムアクセスプリアンブルを示すＲＡＰＩＤがさらに含まれる
ことを特徴とする請求項４５に記載のネットワークデバイス。
【請求項４７】
前記ネットワークデバイスは、さらに、符号化モジュールを含み、
前記符号化モジュールは、特定のランダムアクセス無線ネットワーク一時識別子ＲＡ―ＲＮＴＩに基づいて、前記ＭＡＣ ＰＤＵを符号化するように構成される
ことを特徴とする請求項４０〜４６のいずれか１項に記載のネットワークデバイス。
【請求項４８】
前記通信モジュールは、さらに、
前記第１の端末デバイスが特定の周期で送信する第１のランダムアクセスプリアンブルを受信するように構成される
ことを特徴とする請求項４０〜４７のいずれか１項に記載のネットワークデバイス。
【請求項４９】
前記通信モジュールは、
第２の端末デバイスが前記特定の周期で送信する第２のランダムアクセスプリアンブルを受信するように構成され、前記第２のランダムアクセスプリアンブルが、システム情報を取得するように要求し、前記少なくとも１つのＲＡＲが、前記ネットワークデバイスが前記第２の端末デバイスに送信する前記第２のランダムアクセスプリアンブルの応答を含む
ことを特徴とする請求項４８に記載のネットワークデバイス。
【請求項５０】
前記特定の周期は、前記ネットワークデバイスにより構成され、又は、システム情報の更新周期により決定されたものである
ことを特徴とする請求項４８又は４９に記載のネットワークデバイス。
【発明の詳細な説明】
【技術分野】
【０００１】
本願の実施例は、通信分野に関し、具体的に、システム情報の取得方法、端末デバイス及びネットワークデバイスに関する。
【背景技術】
【０００２】
５Ｇ新しいラジオ( Ｎｅｗ Ｒａｄｉｏ、ＮＲ )システムでは、端末デバイスがネットワークにアクセスする必要があるとき、ネットワークからシステム情報( Ｓｙｓｔｅｍ Ｉｎｆｏｒｍａｔｉｏｎ、ＳＩ )、例えば、残りの最小システム情報( Ｒｅｍａｉｎｉｎｇ Ｍｉｎｉｍｕｍ Ｓｙｓｔｅｍ Ｉｎｆｏｒｍａｔｉｏｎ、ＲＭＳＩ )を取得する必要があり、ここで、このＲＭＳＩは、マスタ情報ブロック( Ｍａｓｔｅｒ Ｉｎｆｏｒｍａｔｉｏｎ Ｂｌｏｃｋ、ＭＩＢ )、システム情報ブロック１ ( Ｓｙｓｔｅｍ Ｉｎｆｏｒｍａｔｉｏｎ Ｂｌｏｃｋｓ、ＳＩＢ１ )、およびシステム情報ブロック２ ( Ｓｙｓｔｅｍ Ｉｎｆｏｒｍａｔｉｏｎ Ｂｌｏｃｋｓ、ＳＩＢ２ )を含むことができる。
【０００３】
このＮＲシステムでは、端末デバイスが物理ブロードキャストチャネル( Ｐｈｙｓｉｃａｌ Ｂｒｏａｄｃａｓｔ Ｃｈａｎｎｅｌ、ＰＢＣＨ )を介してＭＩＢを取得し、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )を介してＳＩＢ１およびＳＩＢ２を取得することができ、ＲＭＳＩ以外のＳＩはランダムアクセスプロセスを介して取得することができるので、どのようにランダムアクセスプロセスを介してシステム情報を取得する方法が問題となる。
【発明の概要】
【０００４】
本願は、ランダムアクセス応答ＲＡＲに基づいてシステム情報を取得することができるシステム情報の取得方法、端末デバイス及びネットワークデバイスを提供する。
【０００５】
第１の態様は、システム情報の取得方法を提供し、端末デバイスがネットワークデバイスに第１のランダムアクセスプリアンブルを送信することと、前記端末デバイスが前記ネットワークデバイスにより送信されたメディアアクセス制御ＭＡＣプロトコルデータユニットＰＤＵを受信することと、前記端末デバイスが少なくとも１つのＲＡＲに基づいて、前記ネットワークデバイスが送信するシステム情報を決定することとを含み、前記ＭＡＣ ＰＤＵが少なくとも１つのランダムアクセス応答ＲＡＲを含む。
【０００６】
したがって、端末デバイスは、ランダムアクセスプロセスにより、システム情報の取得を要求するランダムアクセスプリアンブルをネットワークデバイスに送信し、さらに、ネットワークデバイスは、少なくとも１つのＲＡＲを含むＭＡＣ ＰＤＵを端末デバイスに返信することができ、これにより、端末デバイスは、少なくとも１つのＲＡＲに基づいて、ネットワークデバイスが送信するシステム情報を決定し、システム情報を受信することができる。
【０００７】
任意選択で、このネットワークデバイスが送信するシステム情報は、ネットワークによってブロードキャストされるシステム情報、及び/又はネットワークデバイスによって上位層シグナリング(例えば、無線リソース制御( Ｒａｄｉｏ Ｒｅｓｏｕｒｃｅ Ｃｏｎｔｒｏｌ、ＲＲＣ )シグナリング)を介して送信されるシステム情報を含んでもよく、本願の実施例は、ネットワークデバイスがシステム情報を送信する具体的な方式を特に限定しない。
【０００８】
任意選択で、前記第１のランダムアクセスプリアンブルは、端末デバイスが開始されたランダムアクセスがシステム情報の取得を要求するものであることをネットワークデバイスに通知するために使用され得るか、または、前記第１のランダムアクセスプリアンブルは、端末デバイスがランダムアクセスによってシステム情報を取得しようと考えることを示すために使用され得る。
【０００９】
任意選択で、前記第１のランダムアクセスプリアンブルは、システム情報の取得を要求するための特定のＰｒｅａｍｂｌｅであってよく、ネットワークデバイスによって受信された第１のランダムアクセスプリアンブルが特定のＰｒｅａｍｂｌｅである場合、端末デバイスによって開始された今回のランダムアクセスがシステム情報の取得を要求するためのものであると決定されてよく、ここで、この特定のＰｒｅａｍｂｌｅは、１つ以上を含んでよく、本願の実施例は、これに限定されない。
【００１０】
任意選択で、前記第１のランダムアクセスプリアンブルは、前記端末デバイスが要求して取得するシステム情報を示す。
【００１１】
任意選択で、前記端末デバイスが第１のランダムアクセスプリアンブルを送信するために使用されるリソース(すなわち、物理ランダムアクセスチャネル( Ｐｈｙｓｉｃａｌ Ｒａｎｄｏｍ Ａｃｃｅｓｓ Ｃｈａｎｎｅｌ、ＰＲＡＣＨ )リソース)は、端末デバイスが要求して取得するシステム情報を示し、したがって、ネットワークデバイスは、端末デバイスが第１のランダムアクセスプリアンブルを送信するために使用されるＰＲＡＣＨリソースに従って、端末デバイスが取得したい目標システム情報を決定することができる。
【００１２】
いくつかの実現可能な方式において、前記端末デバイスがネットワークデバイスに第１のランダムアクセスプリアンブルを送信することは、前記端末デバイスが特定の周期で前記ネットワークデバイスに前記第１のランダムアクセスプリアンブルを送信することを含む。
【００１３】
したがって、前記ネットワークデバイスは、端末デバイスが送信したランダムアクセスプリアンブル、またはランダムアクセスプリアンブルの送信に使用されたリソース、またはランダムアクセスプリアンブルの送信時間のうちの少なくとも１つに基づいて、端末デバイスが送信したランダムアクセスがシステム情報の取得要求であると判断することができる。すなわち、端末デバイスが送信するランダムアクセスプリアンブル、またはランダムアクセスプリアンブルの送信に用いられるリソース、またはランダムアクセスプリアンブルの送信時間の少なくとも１つを用いて、端末デバイスが送信したランダムアクセスがシステム情報の取得要求に用いることを示すことができる。
【００１４】
いくつかの実現可能な方式において、前記特定の周期は、前記ネットワークデバイスにより構成され、又は、システム情報の更新周期により決定されたものである。
【００１５】
いくつかの実現可能な方式において、前記方法は、さらに、前記端末デバイスが特定のランダムアクセス無線ネットワーク一時識別子ＲＡ―ＲＮＴＩに基づいて、前記ＭＡＣ ＰＤＵを復号することを含む。
【００１６】
いくつかの実現可能な方式において、前記特定のＲＡ―ＲＮＴＩは、前記ネットワークデバイスにより構成された予約ＲＡ―ＲＮＴＩである。
【００１７】
いくつかの実現可能な方式において、前記特定のＲＡ―ＲＮＴＩは、前記ネットワークデバイスによりシステム情報又は無線リソース制御ＲＲＣシグナリングを介して構成されたものである。
【００１８】
いくつかの実現可能な方式において、前記少なくとも１つのＲＡＲが指示情報を含み、前記指示情報が、前記ネットワークデバイスが送信するシステム情報を指示する。
【００１９】
いくつかの実現可能な方式において、前記端末デバイスが少なくとも１つのＲＡＲに基づいて、前記ネットワークデバイスが送信するシステム情報を決定することは、前記端末デバイスが前記少なくとも１つのＲＡＲに含まれる前記指示情報に基づいて、前記ネットワークデバイスが送信するシステム情報を決定することを含む。
【００２０】
いくつかの実現可能な方式において、前記指示情報が少なくとも１つのランダムアクセスプリアンブル識別子ＲＡＰＩＤであり、ここで、前記少なくとも１つのＲＡＰＩＤの各ＲＡＰＩＤが少なくとも１つのシステム情報を示す。
【００２１】
いくつかの実現可能な方式において、前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記各ＲＡＰＩＤが前記各ＲＡＲに対応するＭＡＣサブＰＤＵのサブパケットヘッダに搬送され、前記ＭＡＣサブＰＤＵがデータ部分を含まない。
【００２２】
従って、端末デバイスは、ネットワークデバイスが返信するＭＡＣ ＰＤＵに含まれる少なくとも１つのＲＡＰＩＤにより、ネットワークデバイスが送信するシステム情報を決定することができ、さらに、システム情報の受信を行うことができ、例えば、端末デバイスは、自身のニーズに応じてシステム情報の受信を行うことができ、又は、全てのシステム情報を受信することもでき、本願実施例はこれに限定されない。
【００２３】
いくつかの実現可能な方式において、前記指示情報は、ネットワークデバイスが送信するシステム情報をビットマップで指示する。
【００２４】
いくつかの実現可能な方式において、前記指示情報は、前記ＭＡＣサブＰＤＵのデータ部分に搬送される。
【００２５】
いくつかの実現可能な方式において、前記ＭＡＣサブＰＤＵのサブパケットヘッダには、前記少なくとも１つのＲＡＲに対応するランダムアクセスプリアンブルを示すＲＡＰＩＤがさらに含まれる。
【００２６】
第２の態様は、システム情報の取得方法を提供し、ネットワークデバイスが第１の端末デバイスにより送信された第１のランダムアクセスプリアンブルを受信することと、前記第１のランダムアクセスプリアンブルが、システム情報を取得するように要求し、前記ネットワークデバイスがメディアアクセス制御ＭＡＣプロトコルデータユニットＰＤＵを返信することとを含み、前記ＭＡＣ ＰＤＵが少なくとも１つのランダムアクセス応答ＲＡＲを含み、前記少なくとも１つのＲＡＲは、前記ネットワークデバイスが送信するシステム情報を決定するために用いられる。
【００２７】
したがって、ネットワークデバイスは、システム情報の取得を要求する端末デバイスのランダムアクセスプリアンブルを受信し、さらに、端末デバイスにＭＡＣ ＰＤＵを返信し、このＭＡＣ ＰＤＵに少なくとも１つのＲＡＲを含めることによって、端末デバイスは、少なくとも１つのＲＡＲに基づいて、ネットワークデバイスが送信するシステム情報を決定し、さらに、システム情報の受信を行うことができる。
【００２８】
いくつかの実現可能な方式において、前記少なくとも１つのＲＡＲが指示情報を含み、前記指示情報が、前記ネットワークデバイスが送信するシステム情報を指示する。
【００２９】
いくつかの実現可能な方式において、前記指示情報が少なくとも１つのＲＡＰＩＤであり、ここで、前記少なくとも１つのＲＡＰＩＤの各ＲＡＰＩＤが少なくとも１つのシステム情報を示す。
【００３０】
いくつかの実現可能な方式において、前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記各ＲＡＰＩＤが前記各ＲＡＲに対応するＭＡＣサブＰＤＵのサブパケットヘッダに搬送され、前記ＭＡＣサブＰＤＵがデータ部分を含まない。
【００３１】
いくつかの実現可能な方式において、前記指示情報は、ネットワークデバイスが送信するシステム情報をビットマップで指示する。
【００３２】
いくつかの実現可能な方式において、前記指示情報は、前記ＭＡＣサブＰＤＵのデータ部分に搬送される。
【００３３】
いくつかの実現可能な方式において、前記ＭＡＣサブＰＤＵのサブパケットヘッダには、前記少なくとも１つのＲＡＲに対応するランダムアクセスプリアンブルを示すＲＡＰＩＤがさらに含まれる。
【００３４】
いくつかの実現可能な方式において、前記方法は、さらに、前記ネットワークデバイスが特定のランダムアクセス無線ネットワーク一時識別子ＲＡ―ＲＮＴＩに基づいて、前記ＭＡＣ ＰＤＵを符号化することを含む。
【００３５】
いくつかの実現可能な方式において、前記ネットワークデバイスが第１の端末デバイスにより送信された第１のランダムアクセスプリアンブルを受信することは、前記ネットワークデバイスが、前記第１の端末デバイスが特定の周期で送信する第１のランダムアクセスプリアンブルを受信することを含む。
【００３６】
いくつかの実現可能な方式において、前記方法は、さらに、
前記ネットワークデバイスが、第２の端末デバイスが前記特定の周期で送信する第２のランダムアクセスプリアンブルを受信することを含み、前記第２のランダムアクセスプリアンブルが、システム情報を取得するように要求し、前記少なくとも１つのＲＡＲが、前記ネットワークデバイスが前記第２の端末デバイスに送信する前記第２のランダムアクセスプリアンブルの応答を含む。
【００３７】
いくつかの実現可能な方式において、前記特定の周期は、前記ネットワークデバイスにより構成され、又は、システム情報の更新周期により決定されたものである。
【００３８】
第３の態様は、上記の第１の態様または第１の態様の任意の可能な実装における方法を実行するための端末デバイスを提供する。具体的には、端末デバイスは、上記の第１の態様または第１の態様の可能な実施のいずれかにおける方法を実行するためのユニットを備える。
【００３９】
第４の態様は、メモリと、プロセッサと、入力インターフェースと、出力インターフェースとを有する端末デバイスを提供する。ここで、メモリ、プロセッサ、入力インターフェース、出力インターフェースは、バスシステムを介して接続される。このメモリは、命令を記憶するために使用され、このプロセッサは、メモリに記憶された命令を実行して、第１の態様または第１の態様の任意の可能な実施例で上述の方法を実行するために使用される。
【００４０】
第５の態様は、上記の第２の態様または第２の態様の任意の可能な実装における方法を実行するためのネットワークデバイスを提供する。特に、ネットワークデバイスは、上記の第２の態様または第２の態様の任意の可能な実施例における方法を実行するためのユニットを含む。
【００４１】
第６の態様は、メモリと、プロセッサと、入力インターフェースと、出力インターフェースとを備えるネットワークデバイスを提供する。ここで、メモリ、プロセッサ、入力インターフェース、出力インターフェースは、バスシステムを介して接続される。メモリは、命令を記憶するために使用され、プロセッサは、メモリに記憶された命令を実行して、上述の第２の態様または第２の態様の可能な実施のいずれかにおける方法を実行するために使用される。
【００４２】
第７の態様は、上記の第１の態様または第１の態様の可能な実施例のいずれかを実行するための方法を実行するためのコンピュータソフトウェア命令を記憶するためのコンピュータ記憶媒体を提供し、上記の態様を実行するように設計されたプログラムを含む。
【００４３】
第８の態様は、命令を備えるコンピュータプログラム製品を提供し、コンピュータ上で実行されると、コンピュータに、上記の第１の態様または第１の態様の任意の実施例における方法を実行させる。
【００４４】
第９の態様は、上記の第２の態様または第２の態様の可能な実施例のいずれかを実行するための方法を実行するためのコンピュータソフトウェア命令を記憶するためのコンピュータ記憶媒体を提供し、上記の態様を実行するように設計されたプログラムを含む。
【００４５】
第１０の態様は、命令を備えるコンピュータプログラム製品を提供し、コンピュータ上で実行されると、コンピュータに、上述の第２の態様または第２の態様の任意の実施例における方法を実行させる。
【図面の簡単な説明】
【００４６】
【図１】本願の実施例における応用シーンの模式図である。
【図２】本願の実施例におけるシステム情報の取得方法のフローチャートである。
【図３】本願の実施例における指示情報の例の模式図である。
【図４】本願の実施例における指示情報の他の例の模式図である。
【図５】本願の他の実施例におけるシステム情報の取得方法のフローチャートである。
【図６】本願の実施例における端末デバイスのブロック図である。
【図７】本願の他の実施例におけるネットワークデバイスのブロック図である。
【図８】本願の実施例における端末デバイスのブロック図である。
【図９】本願の他の実施例におけるネットワークデバイスのブロック図である。
【発明を実施するための形態】
【００４７】
以下、本発明の実施例について図面を参照して説明する。
【００４８】
本願実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ （ ＧＳＭ )方式、Ｃｏｄｅ Ｄｉｖｉｓｉｏｎ Ｍｕｌｔｉｐｌｅ Ａｃｃｅｓｓ （ ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )方式、Ｇｅｎｅｒａｌ Ｐａｃｋｅｔ Ｒａｄｉｏ Ｓｅｒｖｉｃｅ （ ＧＰＲＳ ）方式、Ｌｏｎｇ Ｔｅｒｍ Ｅｖｏｌｕｔｉｏｎ ( ＬＴＥ )方式、Ｆｒｅｑｕｅｎｃｙ Ｄｉｖｉｓｉｏｎ Ｄｕｐｌｅｘ （ ＦＤＤ )方式、Ｔｉｍｅ Ｄｉｖｉｓｉｏｎ Ｄｕｐｌｅｘ （ ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ （ ＷｉＭＡＸ )方式、将来の５Ｇ方式等の移動通信システム、あるいは、これらを組み合わせた通信システム等に適用することができる。
【００４９】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ，ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５０】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５１】
図２は本願の実施例におけるシステム情報の取得方法のフローチャートであり、図２に示すように、該方法２００は、以下のステップを含み、
Ｓ２１０において、端末デバイスがネットワークデバイスに第１のランダムアクセスプリアンブルを送信し、
Ｓ２２０において、前記端末デバイスが前記ネットワークデバイスにより送信されたメディアアクセス制御ＭＡＣプロトコルデータユニットＰＤＵを受信し、前記ＭＡＣ ＰＤＵが少なくとも１つのランダムアクセス応答ＲＡＲを含み、
Ｓ２３０において、前記端末デバイスが少なくとも１つのＲＡＲに基づいて、前記ネットワークデバイスが送信するシステム情報を決定する。
【００５２】
任意選択で、いくつかの実施例において、この第１のランダムアクセスプリアンブル( Ｒａｎｄｏｍ Ａｃｃｅｓｓ Ｐｒｅａｍｂｌｅ )は、端末デバイスによって開始されたランダムアクセスがシステム情報の取得を要求するために使用されることをネットワークデバイスに通知するために使用され、または、この第１のランダムアクセスプリアンブルは、端末デバイスがランダムアクセスによってシステム情報を取得したいことを示すために使用され得る。
【００５３】
従って、端末デバイスはがランダムアクセスプロセスを介してネットワークデバイスにシステム情報の取得を要求するランダムアクセスプリアンブルを送信し、さらに、該ネットワークデバイスが端末デバイスにメディアアクセス制御（Ｍｅｄｉａ Ａｃｃｅｓｓ Ｃｏｎｔｒｏｌ、ＭＡＣ）プロトコルデータユニット(Ｐｒｏｔｏｃｏｌ Ｄａｔａ Ｕｎｉｔ、ＰＤＵ)を返信し、該ＭＡＣ ＰＤＵが少なくとも１つのＲＡＲを含み、そして、端末デバイスが該少なくとも１つのＲＡＲに基づいてネットワークデバイスが送信するシステム情報を決定し、さらに、端末デバイスがシステム情報を受信し、例えば、端末デバイスが自身の要求に基づいてシステム情報を受信することができる。
【００５４】
任意選択的に、このネットワークデバイスが送信するシステム情報は、ネットワークがブロードキャストするシステム情報、及び/又はネットワークデバイスによって上位層シグナリング(例えば、無線リソース制御( Ｒａｄｉｏ Ｒｅｓｏｕｒｃｅ Ｃｏｎｔｒｏｌ、ＲＲＣ )シグナリング)を介して送信されるシステム情報を含んでもよく、本願の実施例は、ネットワークデバイスがシステム情報を送信する具体的な方法を特に限定しない。
【００５５】
任意選択で、いくつかの実施例において、この第１のランダムアクセスプリアンブルは、システム情報の取得を要求するための特定のプリアンブル( Ｐｒｅａｍｂｌｅ )であってよく、ネットワークデバイスによって受信された第１のランダムアクセスプリアンブルが特定のＰｒｅａｍｂｌｅである場合、端末デバイスによって送信された今回のランダムアクセスがシステム情報の取得を要求するためのものであると決定されてよく、ここで、特定のＰｒｅａｍｂｌｅは、１つ以上を含んでよく、本発明の実施例は、これに限定されない。
【００５６】
任意選択で、いくつかの実施例において、この端末デバイスが送信する第１ランダムアクセスプリアンブルは、端末デバイスが取得して要求する目標システム情報を示すために使用されてもよく、したがって、ネットワークデバイスは、端末デバイスが送信する第１ランダムアクセスプリアンブルから、端末デバイスが取得したい目標システム情報を決定し、さらに、システム情報を受信することができる。
【００５７】
任意選択で、いくつかの実施例において、ランダムアクセスプリアンブルは、システム情報の１つまたは１つのセットを示すために使用され得るか、または、ランダムアクセスプリアンブルは、システム情報と対応関係を有し、したがって、異なるランダムアクセスプリアンブルによって異なるシステム情報が示され得る。
【００５８】
任意選択で、いくつかの実施例において、端末デバイスが第１のランダムアクセスプリアンブルを送信するために使用されるリソース(すなわち、物理ランダムアクセスチャネル( Ｐｈｙｓｉｃａｌ Ｒａｎｄｏｍ Ａｃｃｅｓｓ Ｃｈａｎｎｅｌ、ＰＲＡＣＨ )リソース)は、端末デバイスが取得を要求するシステム情報を示すために使用され得、したがって、ネットワークデバイスは、端末デバイスが第１のランダムアクセスプリアンブルを送信するために使用されるＰＲＡＣＨリソースに従って、端末デバイスが取得したい目標システム情報を決定することができる。
【００５９】
たとえば、端末デバイスがランダムアクセスプリアンブルを送信するために使用されるＰＲＡＣＨリソースは、システム情報の１つまたは１つのセットを示すために使用され得るか、または、ランダムアクセスプリアンブルを送信するＰＲＡＣＨリソースは、システム情報と対応関係を有し、      したがって、異なるＰＲＡＣＨリソースを通して対応するシステム情報を示すことができる。
【００６０】
任意選択で、いくつかの実施例では、端末デバイスがシステム情報の取得を要求するためにランダムアクセスプリアンブルを送信するために使用されるＰＲＡＣＨリソースは、特定のＰＲＡＣＨリソースであっても良く、したがって、ネットワークデバイスは、ＰＲＡＣＨリソースによって、端末デバイスが開始されたランダムアクセスがシステム情報の取得を要求するために使用されることを決定することができる。
【００６１】
任意選択で、いくつかの実施例では、該Ｓ２１０は、さらに、
該端末デバイスが特定の周期で該ネットワークデバイスに該第１のランダムアクセスプリアンブルを送信することを含む。
【００６２】
任意選択で、本願の実施例において、端末デバイスが特定の期間内に開始するランダムアクセスについては、ネットワークデバイスは、システム情報の取得を要求するランダムアクセスと考えてもよく、ネットワークデバイスは、端末デバイスがランダムアクセスプリアンブルを送信した時間から、今回のランダムアクセスがシステム情報の取得を要求するかどうかを決定し、ランダムアクセスプリアンブルの送信時間が特定の期間内であれば、ネットワークデバイスはシステム情報の取得を要求すると考えてもよく、そうでなければ、通常のランダムアクセスプロセスと考えてもよい。
【００６３】
この特定の期間内に、ネットワークデバイスは、少なくとも１つの端末デバイスによって送信されたランダムアクセスプリアンブルを受信することができ、または、この特定の期間内に、ネットワークデバイスが少なくとも１つの端末デバイスによって送信されたランダムアクセスプリアンブルを収集することができ、さらに、この特定の期間後に、ネットワークデバイスは、少なくとも１つの端末デバイスによって送信されたランダムアクセスプリアンブルに対する応答を含むことができるランダムアクセス応答( Ｒａｎｄｏｍ Ａｃｃｅｓｓ Ｒｅｓｐｏｎｓｅ、ＲＡＲ )を返信することができ、すなわち、ネットワークデバイスは、少なくとも１つの端末デバイスに対するランダムアクセスプリアンブルに対する応答を１つのＲＡＲにカプセル化して送信することができ、すなわち、少なくとも１つの端末デバイスのランダムアクセスプリアンブルに対する応答を１つのＲＡＲによって送信することができ、それにより、シグナリングオーバーヘッドを低減することができる。
【００６４】
任意選択で、本願実施例において、この特定の周期は、ネットワークデバイスが構成し、又は、システム情報の更新周期( ｍｏｄｉｆｉｃａｔｉｏｎ ｐｅｒｉｏｄ )に応じて決定され、又は、通信システムにより規定され、又は、端末デバイスに予め設定するが、本願実施例はこれに限定されない。
【００６５】
任意選択で、この特定期間は、システム情報の更新周期よりも後の期間であってもよいし、システム情報の更新周期よりも前の期間であってもよいし、システム情報の更新周期における期間であってもよいが、本願の実施例はこれに限定されない。
【００６６】
したがって、ネットワークデバイスは、端末デバイスが送信するランダムアクセスプリアンブル、またはランダムアクセスプリアンブルの送信に使用されるリソース、またはランダムアクセスプリアンブルの送信時間のうちの少なくとも１つに基づいて、端末デバイスが送信するランダムアクセスが、システムの取得を要求するために使用されることを決定することができる。すなわち、端末デバイスが送信するランダムアクセスプリアンブル、またはランダムアクセスプリアンブルの送信に用いられるリソース、またはランダムアクセスプリアンブルの送信時間の少なくともいずれかを用いて、端末デバイスが送信するランダムアクセスがシステム情報の取得要求に用いることを示すことができる。
【００６７】
例えば、このネットワークデバイスは、端末デバイスが送信したランダムアクセスプリアンブルが特定のＰｒｅａｍｂｌｅであるか、またはランダムアクセスプリアンブルを送信した時間が特定の周期内である場合に、端末デバイスが送信したランダムアクセスがシステム情報の取得を要求するものであると判断することができる。
【００６８】
Ｓ２１０の後、端末デバイスは、さらに、ＰＤＣＣＨを傍受し、ネットワークデバイスが返信するＲＡＲを取得することができる。
【００６９】
任意選択で、物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )が存在する時間周波数リソース位置は、制御リソースセット( Ｃｏｎｔｒｏｌ Ｒｅｓｏｕｒｃｅ Ｓｅｔ、ＣＯＲＳＥＴ )情報によって示され得るので、端末デバイスは、ＣＯＲＳＥＴによって示されるリソース上でＰＤＣＣＨを傍受し、ネットワークデバイスから返信されるＲＡＲを取得することができる。
【００７０】
任意選択で、いくつかの実施例において、端末デバイスがネットワークデバイスから返信されるＭＡＣ ＰＤＵを受信することは、特定の期間の後であり、すなわち、ネットワークデバイスが返信されるＭＡＣ ＰＤＵは、特定の期間内の少なくとも１つの端末デバイスによって送信されたランダムアクセスプリアンブルに対する応答を含み得る。
【００７１】
任意選択で、ネットワークデバイスによって返信されるＭＡＣ ＰＤＵは、特定の期間内の少なくとも１つの端末デバイスのランダムアクセスプリアンブルに対する応答を含むことができるので、異なる端末デバイスによるＭＡＣ ＰＤＵの復号を容易にするために、ネットワークデバイスは、特定の識別子(例えば、ランダムアクセス無線ネットワーク一時識別子( Ｒａｎｄｏｍ Ａｃｃｅｓｓ Ｒａｄｉｏ Ｎｅｔｗｏｒｋ Ｔｅｍｐｏｒａｒｙ Ｉｄｅｎｔｉｆｉｅｒ，ＲA-RNTI ) )を使用してＭＡＣ ＰＤＵを符号化することができ、したがって、ＭＡＣ ＰＤＵを受信した端末デバイスは、また、特定の識別子、例えば、特定のＲＡ−ＲＮＴＩを使用してこのＭＡＣ ＰＤＵを復号し、この    ＭＡＣ ＰＤＵに含まれるＲＡＲを取得することができる。
【００７２】
任意選択で、本願の実施例において、ＭＡＣ ＰＤＵを復号するために使用される特定のＲＡ−ＲＮＴＩは、予約ＲＡ−ＲＮＴＩであり、この予約ＲＡ−ＲＮＴＩは、ネットワークデバイスによって構成されてもよく、又は通信システムによって規定されてもよく、本願の実施例はこれに限定されない。あるいは、その特定のＲＡ−ＲＮＴＩが、そのＲＡ−ＲＮＴＩの既存の機能に影響を与えない限り、他のＲＡ−ＲＮＴＩであってもよい。
【００７３】
なお、この特定のＲＡ−ＲＮＴＩは、ランダムアクセスのために使用される他のＲＡ−ＲＮＴＩの値とは異なることができ、または、特定のＲＡ−ＲＮＴＩの値は、他のＲＡ−ＲＮＴＩの値の範囲内に含まれない、すなわち、この特定のＲＡ−ＲＮＴＩは、通常のランダムアクセスプロセスには使用されない。
【００７４】
任意選択で、この特定のＲＡ−ＲＮＴＩは、システム情報(例えば、ＳＩＢ１またはＳＩＢ２ )または無線リソース制御( Ｒａｄｉｏ Ｒｅｓｏｕｒｃｅ Ｃｏｎｔｒｏｌ、ＲＲＣ )シグナリングを介してネットワークデバイスによって構成されるか、または、物理層シグナリングのような他のシグナリングを介して構成されてもよく、本発明の実施例は、これに限定されない。
【００７５】
端末デバイスは、ＭＡＣ ＰＤＵを復号した後、さらに、ＭＡＣ ＰＤＵに含まれる少なくとも１つのＲＡＲからネットワークデバイスが送信するシステム情報を決定することができる。
【００７６】
任意選択で、いくつかの実施例では、この少なくとも１つのＲＡＲに、ネットワークデバイスが送信すべきシステム情報を示すための指示情報が含まれてもよく、任意選択で、指示情報は、明示的又は暗黙的な指示情報であってもよく、例えば、指示情報は、ネットワークデバイスが送信すべきシステム情報の識別子又はインデックスを示してもよく、本願実施例は、指示情報の指示の仕方について特に限定しない。
【００７７】
以下、具体的な実施例によって、該指示情報の指示方式を説明する。
【００７８】
実施例１として、該指示情報が少なくとも１つのランダムアクセスプリアンブル識別子ＲＡＰＩＤであり、ここで、該少なくとも１つのＲＡＰＩＤの各ＲＡＰＩＤが少なくとも１つのシステム情報を示す。
【００７９】
この実施例１において、各ＲＡＲが１つのランダムアクセスプリアンブル識別子（Ｒａｎｄｏｍ Ａｃｃｅｓｓ Ｐｒｅａｍｂｌｅ Ｉｄｅｎｔｉｆｉｅｒ、ＲＡＰＩＤ）を含み、各ＲＡＲに含まれる該ＲＡＰＩＤは、ネットワークデバイスが送信する１つ以上のシステム情報を示す。
【００８０】
任意選択で、この実施例１において、このＭＡＣ ＰＤＵは、少なくとも１つのＭＡＣサブ( ｓｕｂ ) ＰＤＵを含み、前記少なくとも１つのＭＡＣ ｓｕｂＰＤＵは、前記少なくとも１つのＲＡＲに対応し、各ＲＡＲに含まれるＲＡＰＩＤは、各ＲＡＲに対応するＭＡＣ ｓｕｂＰＤＵのサブパケットヘッダに搬送され、このＭＡＣ ｓｕｂＰＤＵは、データ部分を含まない。
【００８１】
なお、本願の実施例において、１つのＲＡＲに１つのＭＡＣ ｓｕｂＰＤＵが対応することは、当該ＭＡＣ ｓｕｂＰＤＵが当該ＲＡＲそのものであると理解されることができ、或いは、一つのＲＡＲが一つのＭＡＣ ｓｕｂＰＤＵに搬送されている。
【００８２】
任意選択で、この実施例では、各ＲＡＲに対応するＭＡＣ ｓｕｂＰＤＵは、データ部分を含まなく、ｓｕｂｈｅａｄｅｒのみを含んでもよく、この場合、各ＲＡＲが含むＲＡＰＩＤはＭＡＣ ｓｕｂＰＤＵのｓｕｂｈｅａｄｅｒに搬送されることができ、又は、各ＲＡＲに対応するＭＡＣ ｓｕｂＰＤＵがｓｕｂｈｅａｄｅｒとｐａｙｌｏａｄ部分を含んでもよく、この場合、このＲＡＰＩＤはＭＡＣ ｓｕｂＰＤＵのｓｕｂｈｅａｄｅｒに搬送され、又は、ＭＡＣ ｓｕｂＰＤＵのｐａｙｌｏａｄに搬送され、本願実施例はこれに限定されない。
【００８３】
任意選択で、本願の実施例において、このＭＡＣ ＰＤＵは、バックオフ時間( ｂａｃｋｏｆｆ Ｉｎｄｉｃａｔｏｒ、ＢＩ )指示フィールドを更に含んでよく、通常、ＢＩ指示フィールドは、ＭＡＣ ＰＤＵの１番目のＭＡＣ ｓｕｂＰＤＵに位置する。
【００８４】
図３を参照し、この実施例１を説明すると、図３に示される実施例において、このＭＡＣ ＰＤＵは、ｎ個のＲＡＲを含み、ＲＡＲ１〜ＲＡＲｎと示し、それぞれＭＡＣサブＰＤＵ１〜ＭＡＣサブＰＤＵ ｎに対応してよく、各ＭＡＣサブＰＤＵは、ｓｕｂｈｅａｄｅｒ部分を含んでよく、各ＲＡＲが含むＲＡＰＩＤは、対応するＭＡＣサブＰＤＵのｓｕｂｈｅａｄｅｒに搬送されてよく、例えば、ＲＡＲ１が含むＲＡＰＩＤ１は、ＭＡＣ ｓｕｂＰＤＵ１のｓｕｂｈｅａｄｅｒに搬送され、ＲＡＲｎが含むＲＡＰＩＤｎは、ＭＡＣ ｓｕｂＰＤＵｎのｓｕｂｈｅａｄｅｒに搬送される。これにより、端末デバイスは、各ＭＡＣ ｓｕｂＰＤＵに含まれるＲＡＰＩＤに基づいて、ネットワークデバイスが送信するシステム情報を決定することができる。
【００８５】
なお、図３において、ＭＡＣ ｓｕｂＰＤＵサブパケットヘッダ内の各フィールドは、以下の意味を有する。
【００８６】
Ｅ：拡張フィールドであり、ＭＡＣヘッダに他のフィールドがあるか否かを示す。
【００８７】
Ｔ：タイプフィールドであり、ＭＡＣパケットヘッダに含まれるＲＡＰＩＤまたはＢＩを示す。
【００８８】
Ｒ：予約ビットであり、「０」に設定可能である。
【００８９】
ＢＩ：バックオフ時間指示フィールドであり、端末デバイスがランダムアクセスを再開するための最大待ち時間を示す。
【００９０】
ＲＡＰＩＤ：送信されたランダムアクセスプリアンブルを示す。
【００９１】
任意選択で、図３に示される例において、このＭＡＣ ＰＤＵは、ＭＡＣ ｓｕｂＰＤＵ０を更に含み、このＭＡＣ ＰＤＵの第１のＭＡＣ ｓｕｂＰＤＵに位置し、ＢＩ指示フィールドを搬送する。
【００９２】
任意選択で、図３に示される例において、このＭＡＣ ＰＤＵはまた、ゼロビット又は予約ビットなどのパディングビットを含み得る。
【００９３】
したがって、端末デバイスは、ネットワークデバイスから返信されたＭＡＣ ＰＤＵにおいて搬送された少なくとも１つのＲＡＰＩＤによって、ネットワークデバイスが送信するシステム情報を決定することができ、任意選択的に、ネットワークデバイスが送信するシステム情報は、少なくとも１つの端末デバイスの要求に基づいてネットワークデバイスが決定することができ、例えば、送信するシステム情報は、特定の期間内に少なくとも１つの端末デバイスが送信するランダムアクセスプリアンブルに基づいて決定することができ、任意選択的に、この送信するシステム情報は、特定の期間内に少なくとも１つの端末デバイスが取得を要求するシステム情報の一部又は全部を含むことができ、又は他のＳＩを含むこともでき、本願の実施例はこれに限定されない。
【００９４】
端末デバイスは、ネットワークデバイスがどのシステム情報をこれからブロードキャストするかを判断し、さらに、システム情報の受信を行うことができ、例えば、端末デバイスは、自身のニーズに応じてシステム情報の受信を行うことができるが、本願実施例では、どのシステム情報を端末デバイスが受信するかについては特に限定しない。
【００９５】
任意選択で、この端末デバイスは、それが取得を要求するシステム情報だけを受信することができ、または、それが取得を要求するシステム情報の以外の他のシステム情報を受信することができ、例えば、この端末デバイスがＳＩＢ３の取得を要求し、これから、ネットワークデバイスがＳＩＢ３およびＳＩＢ４をブロードキャストする場合、端末デバイスは、ＳＩＢ１だけを受信することができ、または、端末デバイスが自身の要求に従ってＳＩＢ３およびＳＩＢ４を受信することができる。
【００９６】
実施例２として、該指示情報は、ビットマップで、ネットワークデバイスが送信するシステム情報を指示する。
【００９７】
即ち、ネットワークデバイスは、ビットマップ（ｂｉｔｍａｐ）で送信するシステム情報を指示する。
【００９８】
任意選択で、この実施例２において、ＭＡＣ ＰＤＵがＲＡＲを１つだけ含んでもよく、この場合、ＲＡＲに含まれる指示情報は、ＭＡＣ ｓｕｂＰＤＵに(ケース１)搬送されてもよい。例えば、ＭＡＣ ＰＤＵが１つのＲＡＲを含み、そのＲＡＲがＭＡＣ ｓｕｂＰＤＵ１に対応する場合、そのＲＡＲが含む指示情報は、ＭＡＣ ｓｕｂＰＤＵ１に搬送されることができ、その指示情報は、ｂｉｔｍａｐ方式で、複数のシステム情報(例えば、ＳＩＢ３〜ＳＩＢ６ )がその後ブロードキャストされるか否かを示すことができる。
【００９９】
または、このＭＡＣ ＰＤＵは複数のＲＡＲを含んでもよく、この場合、このＭＡＣ ＰＤＵは複数のＭＡＣ ｓｕｂＰＤＵを含んでもよく、それぞれのＲＡＲに対応して、各ＲＡＲに対応するＭＡＣ ｓｕｂＰＤＵは、ネットワークデバイスが送信するシステム情報を指示するための指示情報(ケース２)を含んでもよく、この場合、任意選択で、各ＭＡＣ ｓｕｂＰＤＵに含まれる指示情報が指示する内容は、同じであってもよく、異なっていてもよく、本願実施例はこれに限定されない。
【０１００】
例えば、このＭＡＣ ＰＤＵはｎ個のＲＡＲを含み、ｎ個のＲＡＲはそれぞれＭＡＣ ｓｕｂＰＤＵ１〜ＭＡＣ ｓｕｂＰＤＵｎに対応し、ここで、ｎは１より大きい正の整数であり、この場合、ＭＡＣ ｓｕｂＰＤＵ１〜ＭＡＣ ｓｕｂＰＤＵｎのいずれかＭＡＣ ｓｕｂＰＤＵは指示情報を含み、この複数のＭＡＣ ｓｕｂＰＤＵに含まれる指示情報が指示する内容は同一であってもよく、例えば、このＭＡＣ ｓｕｂＰＤＵ１〜ＭＡＣ ｓｕｂＰＤＵｎに含まれる指示情報は、複数のシステム情報(例えば、ＳＩＢ３〜ＳＩＢ６ )が後でブロードキャストされるか否かをｂｉｔｍａｐ方式で指示してもよい。あるいは、各ＭＡＣ ｓｕｂＰＤＵが含む指示情報が示す内容は、異なっていてもよく、任意選択で、各ＭＡＣ ｓｕｂＰＤＵが含む指示情報は、対応するＳＳＢの組が後でブロードキャストされるか否かを示すために使用されてもよく、例えば、ＭＡＣ ｓｕｂＰＤＵ１が含む指示情報は、ＳＩＢ３〜ＳＩＢ５が後でブロードキャストされるか否かを示すために使用されてもよく、ＭＡＣ ｓｕｂＰＤＵ２が含む指示情報は、ＳＩＢ６〜ＳＩＢ７が後でブロードキャストされるか否かを示すために使用されてもよく、ＭＡＣ ｓｕｂＰＤＵ３が含む指示情報は、ＳＩＢ８〜ＳＩＢ１０が後でブロードキャストされるか否かを示すために使用されてもよい。
【０１０１】
任意選択で、各ＭＡＣ ｓｕｂＰＤＵに含まれる指示情報がどのＳＳＢがその後ブロードキャストされるかを示すことは、ネットワークデバイスにより構成されてもよく、通信システムにより規定されてもよいなど、本願実施例はこれに限定されない。
【０１０２】
任意選択で、本願の実施例において、このＲＡＲが含む指示情報は、このＭＡＣ ｓｕｂＰＤＵのｓｕｂｈｅａｄｅｒ又はｐａｙｌｏａｄに搬送されることができ、本願の実施例は、これに限定されない。
【０１０３】
任意選択で、この実施例２において、このＭＡＣ ＰＤＵはまた、バックオフ時間( ｂａｃｋｏｆｆ Ｉｎｄｉｃａｔｏｒ、ＢＩ )指示フィールドを含み得、通常、このＢＩ指示フィールドはＭＡＣ ＰＤＵの第１のＭＡＣ ｓｕｂＰＤＵに位置する。
【０１０４】
以下、図４を用いて、この実施例２を説明する。なお、図４はケース１を例にとっており、ケース２についても同様の表記が可能であるため、ここでは説明を省略する。
【０１０５】
図４に示す例では、ＭＡＣ ＰＤＵは１つのＲＡＲを含み、ＭＡＣ ｓｕｂＰＤＵ１に対応し、ＭＡＣ ｓｕｂＰＤＵ１が指示情報を含み、任意選択で、この指示情報は、ＭＡＣ ｓｕｂＰＤＵ１のｐａｙｌｏａｄ部分(すなわち、ＭＡＣ ＲＡＲ )に搬送され、複数のシステム情報のうちのどのシステム情報がブロードキャストされるかを示す。
【０１０６】
例えば、該指示情報は、ＳＩ１〜ＳＩ６のうち、どのシステム情報がこれから放送されるかを示し(例１に対応)、例として限定するものではなく、ＳＩに対するビットが１である場合に、該ＳＩが送信するシステム情報であることを示し、又は、該ＳＩに対するビットが０である場合に、該ＳＩが送信するシステム情報であることを示す。
【０１０７】
また、たとえば、該指示情報がＳＩＢ３〜ＳＩＢ７のうち、どのシステム情報がこれからブロードキャストされるかを示し(例２に対応)、例として限定することなく、ＳＩＢに対応するビットが１である場合、ＳＩＢが送信するシステム情報であることを示し、または、ＳＩＢに対応するビットが０である場合、ＳＩＢが送信するシステム情報であることを示す。
【０１０８】
任意選択で、この図４に示される例では、ＢＩを搬送ための、ＭＡＣ ｓｕｂＰＤＵ ０が該ＭＡＣ ＰＤＵである１番目のＭＡＣ ｓｕｂＰＤＵを含むことができる。
【０１０９】
任意選択で、図４に示される例において、このＭＡＣ ＰＤＵはまた、ゼロビット又は予約ビットなどのパディングビットを含み得る。
【０１１０】
以上、図２〜図４を参照して、本発明の実施例に係るシステム情報の取得方法について端末デバイスから詳細に説明したが、本発明の他の実施例に係るシステム情報の取得方法について図５を参照してネットワークデバイスから詳細に説明する。ネットワークデバイス側の説明と端末デバイス側の説明は、互いに対応しており、同様の説明は、上記を参照してもよく、重複を避けるためにここで説明を省略する。
【０１１１】
図５は、本願の別の実施例によるシステム情報の取得方法５００の概略フローチャートであり、図５に示すように、図１に示すカーネットシステムにおけるネットワークデバイスによって実行されてもよく、方法５００は、以下のステップを含む。
【０１１２】
Ｓ５１０において、ネットワークデバイスが第１の端末デバイスにより送信された第１のランダムアクセスプリアンブルを受信し、前記第１のランダムアクセスプリアンブルが、システム情報を取得するように要求し、
Ｓ５２０において、前記ネットワークデバイスがメディアアクセス制御ＭＡＣプロトコルデータユニットＰＤＵを返信し、前記ＭＡＣ ＰＤＵが少なくとも１つのランダムアクセス応答ＲＡＲを含み、前記少なくとも１つのＲＡＲは、前記ネットワークデバイスが送信するシステム情報を決定するために用いられる。
【０１１３】
任意選択で、いくつかの実施例において、該少なくとも１つのＲＡＲが指示情報を含み、該指示情報は、該ネットワークデバイスが送信するシステム情報を示す。
【０１１４】
任意選択で、いくつかの実施例において、該指示情報が少なくとも１つのＲＡＰＩＤであり、ここで、該少なくとも１つのＲＡＰＩＤの各ＲＡＰＩＤは、少なくとも１つのシステム情報を示す。
【０１１５】
任意選択で、いくつかの実施例において、該ＭＡＣ ＰＤＵが少なくとも１つのＭＡＣサブＰＤＵを含み、該少なくとも１つのＭＡＣサブＰＤＵが該少なくとも１つのＲＡＲに対応し、該各ＲＡＰＩＤは、該各ＲＡＲに対応するＭＡＣサブＰＤＵのサブパケットヘッダに搬送され、且つ、該ＭＡＣサブＰＤＵがデータ部分を含まない。
【０１１６】
任意選択で、いくつかの実施例において、該指示情報は、ビットマップでネットワークデバイスが送信するシステム情報を指示する。
【０１１７】
任意選択で、いくつかの実施例において、該指示情報は、該ＭＡＣサブＰＤＵのデータ部分に搬送される。
【０１１８】
任意選択で、いくつかの実施例において、該ＭＡＣサブＰＤＵのサブパケットヘッダがＲＡＰＩＤさらに含み、該少なくとも１つのＲＡＲに対応するランダムアクセスプリアンブルを示す。
【０１１９】
任意選択で、いくつかの実施例において、該方法は、さらに、
該ネットワークデバイスが特定のランダムアクセス無線ネットワーク一時識別子ＲＡ―ＲＮＴＩに基づいて、該ＭＡＣ ＰＤＵを符号化することを含む。
【０１２０】
任意選択で、いくつかの実施例において、該ネットワークデバイスが第１の端末デバイスにより送信された第１のランダムアクセスプリアンブルを受信することは、
該ネットワークデバイスが、該第１の端末デバイスが特定の周期で送信する第１のランダムアクセスプリアンブルを受信することを含む。
【０１２１】
任意選択で、いくつかの実施例において、該方法５００は、さらに、
該ネットワークデバイスが、第２の端末デバイスが該特定の周期で送信する第２のランダムアクセスプリアンブルを受信することを含み、該第２のランダムアクセスプリアンブルは、システム情報を取得するように要求し、該少なくとも１つのＲＡＲは、該ネットワークデバイスが該第２の端末デバイスに送信する該第２のランダムアクセスプリアンブルの応答を含む。
【０１２２】
任意選択で、いくつかの実施例において、該特定の周期は、該ネットワークデバイスにより構成され、又は、システム情報の更新周期に基づいて決定される。
【０１２３】
本発明の開示の方法の実施例が図２〜図５に関連して上述され、本発明の開示の装置の実施例が図６〜図９に関連して以下に詳細に説明されるが、装置の実施例と方法の実施例とは互いに対応し、同様の説明は方法の実施例を参照し得ることが理解される。
【０１２４】
図６は本願の実施例における端末デバイス６００の模式図を示す。図６に示すように、該端末デバイス６００は、通信モジュール６１０及び決定モジュール６２０を含み、
通信モジュール６１０は、ネットワークデバイスに第１のランダムアクセスプリアンブルを送信し、該ネットワークデバイスにより送信されたメディアアクセス制御ＭＡＣプロトコルデータユニットＰＤＵを受信するように構成され、該ＭＡＣ  ＰＤＵが少なくとも１つのランダムアクセス応答ＲＡＲを含み、
決定モジュール６２０は、該少なくとも１つのＲＡＲに基づいて、該ネットワークデバイスが送信するシステム情報を決定するように構成される。
【０１２５】
任意選択で、いくつかの実施例において、該端末デバイス６００は、さらに、復号モジュールを含み、
復号モジュールは、特定のランダムアクセス無線ネットワーク一時識別子ＲＡ―ＲＮＴＩに基づいて、該ＭＡＣ ＰＤＵを復号するように構成される。
【０１２６】
任意選択で、いくつかの実施例において、該特定のＲＡ―ＲＮＴＩは、該ネットワークデバイスにより構成された予約ＲＡ―ＲＮＴＩである。
【０１２７】
任意選択で、いくつかの実施例において、該特定のＲＡ―ＲＮＴＩは、該ネットワークデバイスがシステム情報又は無線リソース制御ＲＲＣシグナリングを介して構成される。
【０１２８】
任意選択で、いくつかの実施例において、該少なくとも１つのＲＡＲが指示情報を含み、該指示情報は、該ネットワークデバイスが送信するシステム情報を指示する。
【０１２９】
任意選択で、いくつかの実施例において、該決定モジュール６２０は、具体的に、
該少なくとも１つのＲＡＲに含まれる該指示情報に基づいて、該ネットワークデバイスが送信するシステム情報を決定するように構成される。
【０１３０】
任意選択で、いくつかの実施例において、該指示情報が少なくとも１つのランダムアクセスプリアンブル識別子ＲＡＰＩＤであり、ここで、該少なくとも１つのＲＡＰＩＤの各ＲＡＰＩＤが少なくとも１つのシステム情報を示す。
【０１３１】
任意選択で、いくつかの実施例において、該ＭＡＣ ＰＤＵが少なくとも１つのＭＡＣサブＰＤＵを含み、該少なくとも１つのＭＡＣサブＰＤＵが該少なくとも１つのＲＡＲに対応し、該各ＲＡＰＩＤが該各ＲＡＲに対応するＭＡＣサブＰＤＵのサブパケットヘッダに搬送され、且つ、該ＭＡＣサブＰＤＵがデータ部分を含まない。
【０１３２】
任意選択で、いくつかの実施例において、該指示情報は、ビットマップでネットワークデバイスが送信するシステム情報を指示する。
【０１３３】
任意選択で、いくつかの実施例において、該指示情報が該ＭＡＣサブＰＤＵのデータ部分に搬送される。
【０１３４】
任意選択で、いくつかの実施例において、該ＭＡＣサブＰＤＵのサブパケットヘッダがさらにＲＡＰＩＤを含み、該少なくとも１つのＲＡＲに対応するランダムアクセスプリアンブルを示す。
【０１３５】
任意選択で、いくつかの実施例において、該通信モジュール６１０は、さらに、
特定の周期で該ネットワークデバイスに該第１のランダムアクセスプリアンブルを送信するように構成される。
【０１３６】
任意選択で、いくつかの実施例において、該特定の周期は、該ネットワークデバイスにより構成され、又は、システム情報の更新周期により決定される。
【０１３７】
任意選択で、いくつかの実施例において、該第１のランダムアクセスプリアンブルは、該端末デバイスがシステム情報を取得するように要求する。
【０１３８】
なお、本願の実施例による端末デバイス６００は、本願の方法の実施例による端末デバイスに対応することができ、端末デバイス６００の各ユニットの上述の及び他の動作及び/又は機能は、図２に示す方法２００における端末デバイスの対応するフローをそれぞれ実現するために、簡潔のためにここで説明を省略する。
【０１３９】
図７は本願の実施例におけるネットワークデバイスのブロック図である。図７のネットワークデバイス７００は、通信モジュール７１０を含み、
通信モジュール７１０は、第１の端末デバイスにより送信された第１のランダムアクセスプリアンブルを受信し、該第１のランダムアクセスプリアンブルがシステム情報を取得するように要求すし、メディアアクセス制御ＭＡＣプロトコルデータユニットＰＤＵを返信し、該ＭＡＣ ＰＤＵが少なくとも１つのランダムアクセス応答ＲＡＲを含み、該少なくとも１つのＲＡＲは、該ネットワークデバイスが送信するシステム情報を決定する。
【０１４０】
任意選択で、いくつかの実施例において、該少なくとも１つのＲＡＲが指示情報を含み、該指示情報は、該ネットワークデバイスが送信するシステム情報を指示する。
【０１４１】
任意選択で、いくつかの実施例において、該指示情報が少なくとも１つのＲＡＰＩＤであり、ここで、該少なくとも１つのＲＡＰＩＤの各ＲＡＰＩＤが少なくとも１つのシステム情報を示す。
【０１４２】
任意選択で、いくつかの実施例において、該ＭＡＣ ＰＤＵが少なくとも１つのＭＡＣサブＰＤＵを含み、該少なくとも１つのＭＡＣサブＰＤＵが該少なくとも１つのＲＡＲに対応し、該各ＲＡＰＩＤは、該各ＲＡＲに対応するＭＡＣサブＰＤＵのサブパケットヘッダに搬送され、且つ、該ＭＡＣサブＰＤＵがデータ部分を含まない。
【０１４３】
任意選択で、いくつかの実施例において、該指示情報は、ビットマップでネットワークデバイスが送信するシステム情報を指示する。
【０１４４】
任意選択で、いくつかの実施例において、該指示情報は、該ＭＡＣサブＰＤＵのデータ部分に搬送される。
【０１４５】
任意選択で、いくつかの実施例において、該ＭＡＣサブＰＤＵのサブパケットヘッダがさらにＲＡＰＩＤを含み、該少なくとも１つのＲＡＲに対応するランダムアクセスプリアンブルを示す。
【０１４６】
任意選択で、いくつかの実施例において、該ネットワークデバイスは、さらに、符号化モジュールを含み、
符号化モジュールは、特定のランダムアクセス無線ネットワーク一時識別子ＲＡ―ＲＮＴＩに基づいて、該ＭＡＣ ＰＤＵを符号化するように構成される。
【０１４７】
任意選択で、いくつかの実施例において、該通信モジュール７１０は、さらに、
該第１の端末デバイスが特定の周期で送信する第１のランダムアクセスプリアンブルを受信するように構成される。
【０１４８】
任意選択で、いくつかの実施例において、該通信モジュール７１０は、具体的に、
第２の端末デバイスが該特定の周期で送信する第２のランダムアクセスプリアンブルを受信するように構成され、該第２のランダムアクセスプリアンブルは、システム情報を取得するように要求し、該少なくとも１つのＲＡＲは、該ネットワークデバイスが該第２の端末デバイスに送信する該第２のランダムアクセスプリアンブルの応答を含む。
【０１４９】
任意選択で、いくつかの実施例において、該特定の周期は、該ネットワークデバイスにより送信され、又は、システム情報の更新周期に基づいて決定される。
【０１５０】
具体的には、該ネットワークデバイス７００は、上記方法５００で説明されたネットワークデバイスに対応(例えば、構成又はそれ自体で)することができ、且つ該ネットワークデバイス７００における各モジュール又はユニットは、それぞれ、上記方法５００でネットワークデバイスにより実行される各動作又は処理手順を実行するために使用されるが、ここでは、重複説明を避けるために、その詳細な説明は省略する。
【０１５１】
図８に示されるように、本願の実施例は、図２の方法２００に対応する端末デバイスのコンテンツを実行するために使用され、図６の端末デバイス６００であり得る端末デバイス８００をさらに提供する。端末デバイス８００は、入力インターフェース８１０、出力インターフェース８２０、プロセッサ８３０、及びメモリ８４０を含み、入力インターフェース８１０、出力インターフェース８２０、プロセッサ８３０、及びメモリ８４０は、バスシステムによって接続され得る。メモリ８４０は、プログラム、命令、またはコードを含む命令を記憶するために使用される。プロセッサ８３０は、メモリ８４０内のプログラム、命令、又はコードを実行して、入力インターフェース８１０を制御して信号を受信し、出力インターフェース８２０を制御して信号を送信し、且つ前述の方法の実施例の動作を完了する。
【０１５２】
なお、プロセッサ８３０は、本願の実施例において、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ)又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１５３】
メモリ８４０は、読み出し専用メモリおよびランダムアクセスメモリを含み得、プロセッサ８３０に命令およびデータを提供し得る。メモリ８４０の一部は、不揮発性ランダムアクセスメモリも含み得る。例えば、メモリ８４０は、デバイスタイプの情報をさらに記憶してもよい。
【０１５４】
実施において、方法の各コンテンツは、プロセッサ８３０内のハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体はメモリ８４０に位置し、プロセッサ８３０はメモリ８４０内の情報を読み出し、ハードウェアとともに上述した方法の内容を実現する。重複を避けるため、ここでは詳細な説明は省略する。
【０１５５】
一つの具体的な実施例において、図６の端末デバイス６００に含まれた決定モジュール６２０及び復号モジュールは、図８のプロセッサ８３０で具現され、図６の端末デバイス６００に含まれた通信モジュール６１０は、図８の入力インターフェース８１０及び出力インターフェース８２０で具現される。
【０１５６】
図９に示すように、本願の実施例は、図５の方法５００に対応するネットワークデバイスのコンテンツを実行するために使用され、図７のネットワークデバイス７００であり得るネットワークデバイス９００をさらに提供する。ネットワークデバイス９００は、入力インターフェース９１０、出力インターフェース９２０、プロセッサ９３０、及びメモリ９４０を含み、入力インターフェース９１０、出力インターフェース９２０、プロセッサ９３０、及びメモリ９４０は、バスシステムによって接続されてもよい。メモリ９４０は、プログラム、命令、またはコードを含むデータを記憶するために使用される。プロセッサ９３０は、メモリ９４０内のプログラム、命令、又はコードを実行して、入力インターフェース９１０を制御して信号を受信し、出力インターフェース９２０を制御して信号を送信し、上述の方法の実施例の動作を完了する。
【０１５７】
プロセッサ９３０は、本願の実施例において、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ)又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１５８】
メモリ９４０は、読み出し専用メモリ及びランダムアクセスメモリを含み得、プロセッサ９３０に命令及びデータを提供し得る。メモリ９４０の一部は、不揮発性ランダムアクセスメモリも含み得る。例えば、メモリ９４０は、デバイスタイプの情報をさらに記憶してもよい。
【０１５９】
実装の過程で、方法の各コンテンツは、プロセッサ９３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、メモリ９４０に位置し、プロセッサ９３０は、メモリ９４０内の情報を読み取り、そのハードウェアとともに、上記方法の内容を達成する。重複を避けるため、ここでは詳細な説明は省略する。
【０１６０】
一つの具体的な実施例において、図７のネットワークデバイス７００が含む通信モジュール７１０は、図９の入力インターフェース９１０及び出力インターフェース９２０で実装され、図７のネットワークデバイス７００が含む符号化モジュールは、図９のプロセッサ９３０で実装されてもよい。 
本願の実施例は、複数のアプリケーションプログラムを含む携帯型電子機器によって実行されると、図２〜図５に示す実施例の方法を携帯型電子機器に実行させることが可能な命令を含む１又は複数のプログラムを記憶するコンピュータ可読記憶媒体をさらに提供する。 
本願の実施例は、複数のアプリケーションプログラムを含む携帯型電子機器によって実行されると、図２〜図５に示す実施例の方法を携帯型電子機器に実行させることが可能な命令を含む１又は複数のプログラムを記憶するコンピュータ可読記憶媒体をさらに提供する。 
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１６１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１６２】
本明細書で提供するいくつかの実施例では、開示されたシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。 
また、本発明の各実施例における各機能部は、１つの処理部に集積されてもよいし、各部は、物理的に別個に存在してもよいし、２つ以上の部が１つの部に集積されてもよい。
【０１６４】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータ装置(パーソナルコンピュータ、サーバ、またはネットワークデバイスなどであってもよい)に本発明の様々な実施例による方法のステップの全てまたは一部を実行させるための複数の命令を含む１つの記憶媒体に記憶されたソフトウェア製品の形態で具現化されてもよい。なお、前記記憶媒体としては、U-ディスク、リムーバブルハードディスク、リードオンリーメモリ( ＲＯＭ，Ｒｅａｄ−Ｏｎｌｙ Ｍｅｍｏｒｙ )、ランダムアクセスメモリ( ＲＡＭ，Ｒａｎｄｏｍ Ａｃｃｅｓｓ Ｍｅｍｏｒｙ )、磁気ディスク、光ディスク等のプログラムコードを記憶できる種々の媒体を包含する。
【０１６５】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021520678.tif 000003
【図２】
2021520678.tif 000004
2021520678.tif 000005
【図３】
2021520678.tif 000006
【図４】
2021520678.tif 000007
【図５】
2021520678.tif 000008
2021520678.tif 000009
【図６】
2021520678.tif 000010
【図７】
2021520678.tif 000011
【図８】
2021520678.tif 000012
【図９】
2021520678.tif 000013
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスに第１のランダムアクセスプリアンブルを送信することと、
前記端末デバイスが前記ネットワークデバイスにより送信されたメディアアクセス制御ＭＡＣプロトコルデータユニットＰＤＵを受信することと、
前記端末デバイスが少なくとも１つのＲＡＲに基づいて、前記ネットワークデバイスが送信するシステム情報を決定することとを含み、
前記ＭＡＣ ＰＤＵが少なくとも１つのランダムアクセス応答ＲＡＲを含む
ことを特徴とするシステム情報の決定方法。
【請求項２】
前記方法は、さらに、
前記端末デバイスが特定のランダムアクセス無線ネットワーク一時識別子ＲＡ―ＲＮＴＩに基づいて、前記ＭＡＣ ＰＤＵを復号することを含む
ことを特徴とする請求項１に記載のシステム情報の決定方法。
【請求項３】
前記特定のＲＡ―ＲＮＴＩは、前記ネットワークデバイスにより構成された予約ＲＡ―ＲＮＴＩである
ことを特徴とする請求項２に記載のシステム情報の決定方法。
【請求項４】
前記特定のＲＡ―ＲＮＴＩは、前記ネットワークデバイスにより第１のシステム情報又は無線リソース制御ＲＲＣシグナリングを介して構成されたものである
ことを特徴とする請求項２又は３に記載のシステム情報の決定方法。
【請求項５】
前記少なくとも１つのＲＡＲが指示情報を含み、前記指示情報が、前記ネットワークデバイスが送信するシステム情報を指示し、
前記端末デバイスが少なくとも１つのＲＡＲに基づいて、前記ネットワークデバイスが送信するシステム情報を決定することは、
前記端末デバイスが前記少なくとも１つのＲＡＲに含まれる前記指示情報に基づいて、前記ネットワークデバイスが送信するシステム情報を決定することを含む
ことを特徴とする請求項１〜４のいずれか１項に記載のシステム情報の決定方法。
【請求項６】
前記指示情報が少なくとも１つのランダムアクセスプリアンブル識別子ＲＡＰＩＤであり、前記少なくとも１つのＲＡＰＩＤの各ＲＡＰＩＤが少なくとも１つのシステム情報を示す
ことを特徴とする請求項５に記載のシステム情報の決定方法。
【請求項７】
前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記少なくとも１つのＲＡＲのＲＡＰＩＤが前記少なくとも１つのＲＡＲに対応するＭＡＣサブＰＤＵのサブパケットヘッダに搬送され、前記ＭＡＣサブＰＤＵがデータ部分を含まない
ことを特徴とする請求項６に記載のシステム情報の決定方法。
【請求項８】
通信モジュールと、決定モジュールと、を備える端末デバイスであって、
前記通信モジュールは、ネットワークデバイスに第１のランダムアクセスプリアンブルを送信し、前記ネットワークデバイスにより送信されたメディアアクセス制御ＭＡＣプロトコルデータユニットＰＤＵを受信するように構成され、前記ＭＡＣ ＰＤＵが少なくとも１つのランダムアクセス応答ＲＡＲを含み、
前記決定モジュールは、前記少なくとも１つのＲＡＲに基づいて、前記ネットワークデバイスが送信するシステム情報を決定するように構成される
ことを特徴とする端末デバイス。
【請求項９】
前記端末デバイスは、さらに、復号モジュールを含み、
前記復号モジュールは、特定のランダムアクセス無線ネットワーク一時識別子ＲＡ―ＲＮＴＩに基づいて、前記ＭＡＣ ＰＤＵを復号するように構成される
ことを特徴とする請求項８に記載の端末デバイス。
【請求項１０】
前記特定のＲＡ―ＲＮＴＩは、前記ネットワークデバイスにより構成された予約ＲＡ―ＲＮＴＩである
ことを特徴とする請求項９に記載の端末デバイス。
【請求項１１】
前記特定のＲＡ―ＲＮＴＩは、前記ネットワークデバイスにより第１のシステム情報又は無線リソース制御ＲＲＣシグナリングを介して構成されたものである
ことを特徴とする請求項９又は１０に記載の端末デバイス。
【請求項１２】
前記少なくとも１つのＲＡＲが指示情報を含み、前記指示情報が、前記ネットワークデバイスが送信するシステム情報を指示する
ことを特徴とする請求項８〜１１のいずれか１項に記載の端末デバイス。
【請求項１３】
前記決定モジュールは、さらに、
前記少なくとも１つのＲＡＲに含まれる前記指示情報に基づいて、前記ネットワークデバイスが送信するシステム情報を決定するように構成される
ことを特徴とする請求項１２に記載の端末デバイス。
【請求項１４】
前記指示情報が少なくとも１つのランダムアクセスプリアンブル識別子ＲＡＰＩＤであり、前記少なくとも１つのＲＡＰＩＤの各ＲＡＰＩＤが少なくとも１つのシステム情報を示す
ことを特徴とする請求項１２又は１３に記載の端末デバイス。
【請求項１５】
前記ＭＡＣ ＰＤＵが少なくとも１つのＭＡＣサブＰＤＵを含み、前記少なくとも１つのＭＡＣサブＰＤＵが前記少なくとも１つのＲＡＲに対応し、前記少なくとも１つのＲＡＲのＲＡＰＩＤが前記少なくとも１つのＲＡＲに対応するＭＡＣサブＰＤＵのサブパケットヘッダに搬送され、前記ＭＡＣサブＰＤＵがデータ部分を含まない
ことを特徴とする請求項１４に記載の端末デバイス。
【国際調査報告】
2021520678.tif 000014
2021520678.tif 000015
2021520678.tif 000016
2021520678.tif 000017